(57)【要約】【課題】モーターに過大な負荷が作用するのを解消でき、しかも外刃に過大な押圧反力が作用するのを防止しながら肌面を引き伸ばすことができる肌伸張構造を提供する。【解決手段】ヘッド部１に内刃１１と外刃１２を含むメイン刃７と、肌伸張構造を設ける。肌伸張構造は、肌押し体３５と、肌押し体３５を待機位置へ向かって変位付勢する肌押しばね３６とを含む。肌押し体３５を肌面の押圧反力で作動位置に変位操作して、外刃１２に臨む肌面をメイン刃７と肌押し体３５とで共同して伸張し、外刃１２に対するひげ導入を促進する。肌押し体３５は、外刃１２へ向かって連出される肌押しアーム３７と、肌押しアーム３７に連続するアーム基部３８とを備えている。肌押しアーム３７の上面に、長毛を梳き流す一群の櫛歯４７を形成し、櫛歯４７の突端寄り上面に上向きの肌押し片４８を突設する。【選択図】図１
2011147731.tif 000002
【特許請求の範囲】
【請求項１】
ヘッド部（１）に、内刃（１１）および外刃（１２）を含むメイン刃（７）が設けられており、
メイン刃（７）に隣接して、肌面からの押圧反力を受けて肌面を伸張操作する肌伸張構造が設けてあることを特徴とする電気かみそり。
【請求項２】
ヘッド部（１）に長毛切断刃（８）が移動可能に支持されており、
肌伸張構造は、待機位置と作動位置とに変位自在に支持される肌押し体（３５）を備えており、
肌面からの押圧反力を受けて長毛切断刃（８）が変位するのに連動して、前記肌押し体（３５）を作動位置へ操作する請求項１に記載の電気かみそり。
【請求項３】
肌伸張構造は、メイン刃（７）と平行に配置した支軸（４１）で揺動可能に軸支される肌押し体（３５）と、肌押し体（３５）を待機位置へ向かって変位付勢する肌押しばね（３６）とを含み、
肌押し体（３５）の上面に、肌押圧部（３９）と長毛切断刃（８）の切刃部分とが支軸（４１）を間に挟んで配置されており、
メイン刃（７）に近い側の肌押し体（３５）の上面に肌押圧部（３９）が設けてある請求項２に記載の電気かみそり。
【請求項４】
肌押し体（３５）は、メイン刃（７）の外刃（１２）へ向かって連出される肌押しアーム（３７）を備えており、
肌押しアーム（３７）の肌押圧部（３９）に、外刃（１２）へ向かって長毛を梳き流す一群の櫛歯（４７）が形成してある請求項３に記載の電気かみそり。
【請求項５】
前記櫛歯（４７）が、肌押しアーム（３７）の突端上面から長毛切断刃（８）の露出基端部分にわたって形成してある請求項４に記載の電気かみそり。
【請求項６】
前記肌押圧部（３９）の突端寄り上面に、上向きの肌押し片（４８）が突設してある請求項３から５のいずれかひとつに記載の電気かみそり。
【請求項７】
前記肌押し体（３５）は、肌押しアーム（３７）と、肌押しアーム（３７）に連続して下向きに延びるアーム基部（３８）とを備えており、
長毛切断刃（８）の露出基端部分に臨むアーム基部（３８）側の上面に、長毛切断刃（８）へ向かって長毛を梳き流す一群の櫛歯（４９）が形成してある請求項３から６のいずれかひとつに記載の電気かみそり。
【請求項８】
前記肌押しアーム（３７）が、外刃（１２）を保持する外刃ホルダー（１３）に組み付けられており、
外刃（１２）および肌押しアーム（３７）が、外刃ホルダー（１３）と共にヘッド部（１）に対して着脱できる請求項３から７のいずれかひとつに記載の電気かみそり。
【請求項９】
前記肌押しアーム（３７）に臨む外刃（１２）の周面に、前後に長いスリット状の長毛導入穴（１２ｂ）が形成してある請求項３から８のいずれかひとつに記載の電気かみそり。
【請求項１０】
本体部（２）に対して前後、左右、上下の少なくともいずれかひとつの方向へ移動自在に支持されるヘッド部（１）に、複数のメイン刃（７）か、少なくともひとつのメイン刃（７）と少なくともひとつの長毛切断刃（８）とのいずれかが配置されており、
前記メイン刃（７）および長毛切断刃（８）の少なくともひとつは、ヘッド部（１）で基準位置と肌伸し位置とに変位できるよう支持されて、基準位置へ向かって復帰ばね（７１）で付勢されており、
前記ヘッド部（１）の移動動作に連動して、前記メイン刃（７）および長毛切断刃（８）の少なくともひとつを、復帰ばね（７１）の付勢力に抗しながら肌伸し位置へ変位操作する肌伸張構造が設けてあることを特徴とする電気かみそり。
【請求項１１】
前記肌伸張構造が、ヘッド部（１）の移動動作を回転動作に変換するラック（８０）およびピニオン（８１）と、ピニオン（８１）と同行回転する操作カム（８２）とを含んで構成されており、
前記メイン刃（７）および長毛切断刃（８）の少なくともひとつを、操作カム（８２）で復帰ばね（７１）の付勢力に抗しながら肌伸し位置へ変位操作して肌面を引き伸ばす請求項１０に記載の電気かみそり。
【請求項１２】
前記肌伸張構造が、本体部（２）の側に設けた固定カム（８５）と、前記メイン刃（７）の少なくともひとつに設けられて、固定カム（８５）で変位操作される受動カム（８６）とを含んで構成されており、
前記メイン刃（７）および長毛切断刃（８）の少なくともひとつを、固定カム（８５）で受動カム（８６）を介して復帰ばね（７１）の付勢力に抗しながら肌伸し位置へ変位操作して肌面を引き伸ばす請求項１０に記載の電気かみそり。
【請求項１３】
ヘッド部（１）が、本体部（２）に対して前後傾動自在に支持されており、
前記メイン刃（７）および長毛切断刃（８）の少なくともひとつは、ヘッド部（１）で基準位置と肌伸し位置とに変位できるよう支持されて、基準位置へ向かって復帰ばね（７１）で付勢されており、
前記ヘッド部（１）の前後傾動動作に連動して、前記メイン刃（７）および長毛切断刃（８）の少なくともひとつを、復帰ばね（７１）の付勢力に抗しながら肌伸し位置へ変位操作する肌伸張構造が設けてある請求項１０に記載の電気かみそり。
【請求項１４】
ヘッド部（１）が、本体部（２）に対して左右傾動自在に支持されており、
前記メイン刃（７）および長毛切断刃（８）の少なくともひとつは、ヘッド部（１）で基準位置と肌伸し位置とに変位できるよう支持されて、基準位置へ向かって復帰ばね（７１）で付勢されており、
前記ヘッド部（１）の左右傾動動作に連動して、前記メイン刃（７）および長毛切断刃（８）の前記メイン刃（７）の少なくともひとつを、復帰ばね（７１）の付勢力に抗しながら肌伸し位置へ変位操作する肌伸張構造が設けてある請求項１０に記載の電気かみそり。
【請求項１５】
ヘッド部（１）に、複数のメイン刃（７）か、少なくともひとつのメイン刃（７）と少なくともひとつの長毛切断刃（８）とのいずれかと、肌面からの押し付け反力を受けて押し下げ操作される肌接触体（９０）と、肌接触体（９０）を押し上げ付勢するリフトばね（９５）とが設けられており、
前記メイン刃（７）および長毛切断刃（８）の少なくともひとつは、ヘッド部（１）で基準位置と肌伸し位置とに変位できるよう支持されて、基準位置へ向かって復帰ばね（７１）で付勢されており、
前記肌接触体（９０）の押し下げ動作に連動して、前記メイン刃（７）および長毛切断刃（８）の少なくともひとつを、復帰ばね（７１）の付勢力に抗しながら肌伸し位置へ変位操作する肌伸張構造が設けてあることを特徴とする電気かみそり。
【請求項１６】
前記肌伸張構造が、肌接触体（９０）の押し下げ動作を回転動作に変換するラック（９２）およびピニオン（９３）と、ピニオン（９３）と同行回転する操作カム（９４）とを含んで構成されており、
前記メイン刃（７）および長毛切断刃（８）の少なくともひとつを、操作カム（９４）で復帰ばね（７１）の付勢力に抗しながら肌伸し位置へ変位操作して肌面を引き伸ばす請求項１５に記載の電気かみそり。
【請求項１７】
前記肌伸張構造が、肌接触体（９０）の側に設けた移動カム（９７）と、前記メイン刃（７）の少なくともひとつに設けられて、移動カム（９７）で変位操作される受動カム（９８）とを含んで構成されており、
前記メイン刃（７）および長毛切断刃（８）の少なくともひとつを、移動カム（９７）で受動カム（９８）を介して復帰ばね（７１）の付勢力に抗しながら肌伸し位置へ変位操作して肌面を引き伸ばす請求項１５に記載の電気かみそり。
【請求項１８】
ヘッド部（１）に少なくともひとつのメイン刃（７）と、少なくともひとつの長毛切断刃（８）とが隣接配置されており、
前記メイン刃（７）の少なくともひとつは、ヘッド部（１）で基準位置と肌伸し位置とに変位できるよう支持されて、基準位置へ向かって復帰ばね（７１）で付勢されており、
前記長毛切断刃（９）はヘッド部（１）に対して上下可能に支持されて、リフトばね（７２）で押し上げ付勢されており、
前記長毛切断刃（９）が肌面からの押し付け反力を受けて押し下げ操作される動作に連動して、前記メイン刃（７）の少なくともひとつを、復帰ばね（７１）の付勢力に抗しながら肌伸し位置へ変位操作する肌伸張構造が設けてあることを特徴とする電気かみそり。
【請求項１９】
前記肌伸張構造が、長毛切断刃（９）の押し下げ動作を回転動作に変換するラック（１０１）およびピニオン（１０２）と、ピニオン（１０２）と同行回転する操作カム（１０３）とを含んで構成されており、
前記メイン刃（７）および長毛切断刃（８）の少なくともひとつを、操作カム（１０３）で復帰ばね（７１）の付勢力に抗しながら肌伸し位置へ変位操作して肌面を引き伸ばす請求項１８に記載の電気かみそり。
【請求項２０】
前記肌伸張構造が、ヘッド部（１）の側に設けた固定カム（１０５）と、前記メイン刃（７）および長毛切断刃（８）の少なくともひとつに設けられて、固定カム（１０５）で変位操作される受動カム（１０６）とを含んで構成されており、
前記メイン刃（７）および長毛切断刃（８）の少なくともひとつを、固定カム（１０５）で受動カム（１０６）を介して復帰ばね（７１）の付勢力に抗しながら肌伸し位置へ変位操作して肌面を引き伸ばす請求項１８に記載の電気かみそり。
【発明の詳細な説明】
【技術分野】
【０００１】
本発明は、肌伸張構造を備えている電気かみそりに関する。肌伸張構造は、たとえば肌面を引き伸ばしてくせ毛等を起毛し、外刃に対するひげ導入を促進することにより、ひげ切断を短時間で効果的に行なうために設ける。
【背景技術】
【０００２】
この種の肌伸張構造を備えている電気かみそりは、例えば特許文献１、２にみることができる。特許文献１の電気かみそりにおいては、外刃の表面に沿って前後揺動する押圧部材を設け、この押圧部材を刃表面に対して前後に往復駆動することにより、肌面を刃表面へ向かって押し付けて膨隆させ、ひげ導入を促進できるようにしている。押圧部材が刃表面から離れる向きに揺動する場合には、肌面を引き伸ばしてひげを起毛できると考えられる。
【０００３】
特許文献２の電気かみそりにおいては、前後に並列配置したメイン刃を肌面に押し付けるとき、各メイン刃が互いに離れる向きに揺動して肌面を引き伸ばし、ひげ導入を促進する。詳しくは、各メイン刃の外刃を、肌面からの押し付け反力で互いに離れる向きに押圧して、メイン刃を拡開揺動している。
【先行技術文献】
【特許文献】
【０００４】
【特許文献１】特開平０２−１４４０９２号公報（第２頁左下欄第１０行〜、第５図）
【特許文献２】特開平１０−２１１３６９号公報（段落番号００６５、図１４）
【発明の概要】
【発明が解決しようとする課題】
【０００５】
特許文献１の肌伸張構造は、押圧部材を前後揺動させ、肌面を刃表面へ向かって押し付けて膨隆させ、くせ毛等を起毛する。押圧部材は、左右一対の脚片と、脚片の上端どうしを繋ぐ押圧バーとで門形に形成してあり、外刃と同幅の押圧バーが肌面に押し付けられる。また、押圧バーは内刃駆動用の振動子を利用して、内刃の振動に同期して前後に駆動される。そのため、ひげ切断時には１個のモーターで内刃と押圧部材を同時に駆動することになり、とくに、肌面を引き伸ばす押圧部材の駆動負荷が大きいため、モーターの駆動回転数が低下しやすく、内刃と外刃によるひげ切断を的確に行なえない。モーターの出力を大きくすると駆動回転数の低下を防止できるが、その場合には電気かみそりが大形化するのを避けられない。
【０００６】
その点、特許文献２の電気かみそりによれば、前後のメイン刃を互いに離れる向きに揺動させて肌面を引き伸ばすので、モーターに過大な負荷が作用することはない。問題は、メイン刃の肌面への当て方によっては肌面を伸張できないことがあり、使用方法に慣れる必要がある。
【０００７】
本発明の目的は、モーターに過大な負荷が作用するのを解消でき、しかも無意識のうちに肌面を引き伸ばして、外刃に対するひげ導入を的確に行なえる肌伸張構造を備えた電気かみそりを提供することにある。
【課題を解決するための手段】
【０００８】
本発明に係る電気かみそりは、図１に示すようにヘッド部１に、内刃１１と外刃１２を含むメイン刃７が設けてあり、メイン刃７に隣接して、肌面からの押圧反力を受けて肌面を伸張操作する肌伸張構造が設けてあることを特徴とする。
【０００９】
ヘッド部１に長毛切断刃８を設け、この長毛切断刃８を移動可能に支持する。肌伸張構造は、待機位置と作動位置とに変位自在に支持される肌押し体３５を備えている。肌面からの押圧反力を受けて長毛切断刃８が変位するのに連動して、肌押し体３５を作動位置へ操作する。
【００１０】
肌伸張構造は、メイン刃７と平行に配置した支軸４１で揺動可能に軸支される肌押し体３５と、肌押し体３５を待機位置へ向かって変位付勢する肌押しばね３６とを含む。肌押し体３５の上面に、肌押圧部３９と長毛切断刃８の切刃部分とを支軸４１を間に挟んで配置する。メイン刃７に近い側の肌押し体３５の上面に肌押圧部３９を設ける。
【００１１】
肌押し体３５は、メイン刃７の外刃１２へ向かって連出される肌押しアーム３７を備えている。図７に示すように、肌押しアーム３７の肌押圧部３９に、外刃１２へ向かって長毛を梳き流す一群の櫛歯４７を形成する。
【００１２】
櫛歯４７は、肌押しアーム３７の突端上面から長毛切断刃８の露出基端部分にわたって形成する。
【００１３】
肌押圧部３９の突端寄り上面に、上向きの肌押し片４８を突設する。
【００１４】
肌押し体３５は、肌押しアーム３７と、肌押しアーム３７に連続して下向きに延びるアーム基部３８とを備えている。長毛切断刃８の露出部分に臨むアーム基部３８側の上面に、長毛切断刃８へ向かって長毛を梳き流す一群の櫛歯４９を形成する。
【００１５】
肌押しアーム３７を、外刃１２を保持する外刃ホルダー１３に組み付けて、外刃１２および肌押しアーム３７を、外刃ホルダー１３と共にヘッド部１に対して着脱できるようにする。
【００１６】
肌押しアーム３７に臨む外刃１２の周面に、前後に長いスリット状の長毛導入穴１２ｂを形成する。
【００１７】
第２発明に係る電気かみそりにおいては、図８に示すように、本体部２に対して前後、左右、上下の少なくともいずれかひとつの方向へ移動自在に支持されるヘッド部１に、複数のメイン刃７か、少なくともひとつのメイン刃７と少なくともひとつの長毛切断刃８とのいずれかを配置する。メイン刃７および長毛切断刃８の少なくともひとつは、ヘッド部１で基準位置と肌伸し位置とに変位できるよう支持して、基準位置へ向かって復帰ばね７１で付勢する。ヘッド部１の移動動作に連動して、メイン刃７および長毛切断刃８の少なくともひとつを、復帰ばね７１の付勢力に抗しながら肌伸し位置へ変位操作する肌伸張構造をヘッド部１に設ける。ヘッド部１が本体部２に対して移動自在に支持されるとは、ヘッド部１の移動動作が、左右方向への水平移動、左右傾動、前後方向への水平移動、前後傾動、上下移動の、いずれかひとつを含んでいることを意味する。もちろん複数の動作を含んでいてもよい。
【００１８】
肌伸張構造は、ヘッド部１の移動動作を回転動作に変換するラック８０およびピニオン８１と、ピニオン８１と同行回転する操作カム８２とを含んで構成する（図８参照）。メイン刃７および長毛切断刃８の少なくともひとつを、操作カム８２で復帰ばね７１の付勢力に抗しながら肌伸し位置へ変位操作して肌面を引き伸ばす。
【００１９】
肌伸張構造は、本体部２の側に設けた固定カム８５と、メイン刃７および長毛切断刃８の少なくともひとつに設けられて、固定カム８５で変位操作される受動カム８６とを含んで構成する（図１０参照）。メイン刃７および長毛切断刃８の少なくともひとつを、固定カム８５で受動カム８６を介して復帰ばね７１の付勢力に抗しながら肌伸し位置へ変位操作して肌面を引き伸ばす。
【００２０】
図１８に示すように、ヘッド部１を本体部２に対して前後傾動自在に支持する。メイン刃７および長毛切断刃８の少なくともひとつを、ヘッド部１で基準位置と肌伸し位置とに変位できるよう支持して、基準位置へ向かって復帰ばね７１で付勢する。ヘッド部１の前後傾動動作に連動して、メイン刃７および長毛切断刃８の少なくともひとつを、復帰ばね７１の付勢力に抗しながら肌伸し位置へ変位操作する肌伸張構造をヘッド部１に設ける。
【００２１】
図１９に示すように、ヘッド部１を本体部２に対して左右傾動自在に支持する。メイン刃７および長毛切断刃８の少なくともひとつを、ヘッド部１で基準位置と肌伸し位置とに変位できるよう支持して、基準位置へ向かって復帰ばね７１で付勢する。ヘッド部１の左右傾動動作に連動して、メイン刃７および長毛切断刃８のの少なくともひとつを、復帰ばね７１の付勢力に抗しながら肌伸し位置へ変位操作する肌伸張構造をヘッド部１に設ける。
【００２２】
第３発明に係る電気かみそりにおいては、図１３に示すように、ヘッド部１に、複数のメイン刃７か、少なくともひとつのメイン刃７と、少なくともひとつの長毛切断刃８とのいずれかと、肌面からの押し付け反力を受けて押し下げ操作される肌接触体９０と、肌接触体９０を押し上げ付勢するリフトばね９５とを設ける。メイン刃７および長毛切断刃８の少なくともひとつは、ヘッド部１で基準位置と肌伸し位置とに変位できるよう支持して、基準位置へ向かって復帰ばね７１で付勢する。肌接触体９０の押し下げ動作に連動して、前記メイン刃７および長毛切断刃８の少なくともひとつを、復帰ばね７１の付勢力に抗しながら肌伸し位置へ変位操作する肌伸張構造を設ける。
【００２３】
図１３に示すように肌伸張構造は、肌接触体９０の押し下げ動作を回転動作に変換するラック９２およびピニオン９３と、ピニオン９３と同行回転する操作カム９４とを含んで構成する。メイン刃７および長毛切断刃８の少なくともひとつを、操作カム９４で復帰ばね７１の付勢力に抗しながら肌伸し位置へ変位操作して肌面を引き伸ばす。
【００２４】
図１５に示すように肌伸張構造は、肌接触体９０の側に設けた移動カム９７と、メイン刃７および長毛切断刃８の少なくともひとつに設けられて、移動カム９７で変位操作される受動カム９８とを含んで構成する。メイン刃７および長毛切断刃８の少なくともひとつを、移動カム９７で受動カム９８を介して復帰ばね７１の付勢力に抗しながら肌伸し位置へ変位操作して肌面を引き伸ばす。
【００２５】
第４発明に係る電気かみそりにおいては、図１６に示すように、ヘッド部１に少なくともひとつのメイン刃７と、少なくともひとつの長毛切断刃８とを隣接配置する。メイン刃７の少なくともひとつは、ヘッド部１で基準位置と肌伸し位置とに変位できるよう支持して、基準位置へ向かって復帰ばね７１で付勢する。長毛切断刃９はヘッド部１に対して上下可能に支持して、リフトばね７２で押し上げ付勢する。長毛切断刃９が肌面からの押し付け反力を受けて押し下げ操作される動作に連動して、メイン刃７の少なくともひとつを、復帰ばね７１の付勢力に抗しながら肌伸し位置へ変位操作する肌伸張構造を設ける。
【００２６】
図１６に示すように肌伸張構造は、長毛切断刃９の押し下げ動作を回転動作に変換するラック１０１およびピニオン１０２と、ピニオン１０２と同行回転する操作カム１０３とを含んで構成する。メイン刃７の少なくともひとつを、操作カム１０３で復帰ばね７１の付勢力に抗しながら肌伸し位置へ変位操作して、肌面をメイン刃７の少なくともひとつで引き伸ばす。
【００２７】
図１７に示すように肌伸張構造は、ヘッド部１の側に設けた固定カム１０５と、メイン刃７の少なくともひとつに設けられて、固定カム１０５で変位操作される受動カム１０６とを含んで構成する。メイン刃７の少なくともひとつを、固定カム１０５で受動カム１０６を介して復帰ばね７１の付勢力に抗しながら肌伸し位置へ変位操作して、肌面をメイン刃７の少なくともひとつで引き伸ばす。
【発明の効果】
【００２８】
本発明においては、ヘッド部１に設けたメイン刃７に隣接して、肌面からの押圧反力を受けて肌面を伸張操作する肌伸張構造を設けるようにした。このように、肌面を肌伸張構造で伸張させると、肌面に倒れこんでいるくせ毛を強制的に起毛してメイン刃７へ導入案内することができる。また、メイン刃７とは別に設けた肌伸張構造を、肌面からの押圧反力で変位操作して肌面を伸張させるので、無意識のうちに肌面を引き伸ばして、ひげ導入を促進しながら効果的にひげを切断できる。また、内刃１１を駆動するモーター１０に過大な駆動負荷が作用するのを解消でき、全体としてひげ切断をより短時間で効果的に行なうことができる。
【００２９】
ヘッド部１に長毛切断刃８を設け、この長毛切断刃８が肌面からの押圧反力を受けて移動変位するのに連動して、肌伸張構造の肌押し体３５を作動位置へ操作できるようにすると、とくに意識して長毛切断刃８を移動操作する必要もなく肌面を伸張させて、ひげ導入を促進しながら効果的にひげを切断できる。また、意図的に長毛切断刃８の肌面に対する押し付け力を加減して、肌面の伸張度合を調整しながらひげ切断を行なうこともできる。肌面からの押圧反力を受けて長毛切断刃８を移動させるので、長毛切断刃８によって肌面に強い刺激（ストレス）が加わることもない。さらに、肌面に倒れこんだ短毛、長毛、あるいはくせ毛を起毛してメイン刃７で切断するのと同時に、肌面に押し付けられた長毛切断刃８によってもひげ切断を行なえる。
【００３０】
肌押し体３５と肌押しばね３６などで肌伸張構造を構成し、支軸４１を間に挟む肌押し体３５の上面に、肌押圧部３９と長毛切断刃８の切刃部分とを配置すると、肌押し体３５を支軸４１のまわりにシーソー状に揺動させて、肌押圧部３９を肌面に押し付けることができる。また、メイン刃７に近い側の肌押し体３５の上面に肌押圧部３９を設けるので、肌押し体３５が揺動するとき、メイン刃７に臨む肌面を肌押し体３５で伸張させることができ、したがって肌面に倒れこんだ短毛、長毛、あるいはくせ毛を確実に起毛しながらメイン刃７で切断できる。
【００３１】
肌押し体３５を構成する肌押しアーム３７の肌押圧部３９に、外刃１２へ向かって長毛を梳き流す一群の櫛歯４７を形成すると、櫛歯４７で捕捉した長毛を、その毛先の側から外刃１２に案内して、メイン刃７による長毛の切断機会を増加できる。
【００３２】
とくに、櫛歯４７が肌押しアーム３７の突端上面から長毛切断刃８の露出基端部分にわたって形成してある場合には、櫛歯４７で長毛を捕捉する機会を増加して、さらに効果的に長毛をメイン刃７で切断できる。さらに、櫛歯４７で捕捉された長毛が、長毛切断刃８の側へ向かって逆向きに案内される場合には、長毛を長毛切断刃８で的確に切断できるので、全体としてひげ切断作業をさらに効果的に行なうことができる。
【００３３】
肌押圧部３９の突端寄り上面に上向きの肌押し片４８を突設する肌伸張構造によれば、肌押し体３５が作動位置へ揺動するときの肌押し片４８の変位距離を大きくでき、さらに肌押し片４８の突出寸法分だけ肌面を大きく押し込むことができる。したがって、メイン刃７に臨む肌面を肌押し体３５でさらに確実に伸張させて、肌面に倒れこんでいるくせ毛や長毛を的確に起毛することができる。
【００３４】
肌押しアーム３７とアーム基部３８とで肌押し体３５を構成し、アーム基部３８側の上面に一群の櫛歯４９を形成する肌伸張構造によれば、長毛切断刃８へ向かって相対的に接近する長毛を櫛歯４９で捕捉して梳き流すことができる。したがって、長毛切断刃８の前方の肌面や後方の肌面に長毛が位置している場合であっても、櫛歯４９で捕捉した長毛を長毛切断刃８で確実に切断できる。また、櫛歯４９以外の部分が肌面に接触するのを避けて、肌押し体３５が肌面と相対移動するときの肌当りを柔らかなものとすることができる。
【００３５】
肌押しアーム３７を外刃ホルダー１３に組み付けようにすると、外刃１２および肌押しアーム３７を外刃ホルダー１３と共にヘッド部１に対して着脱できるので、肌押し体３５に組み込んだ長毛切断刃８、あるいは肌伸張構造の清掃や洗浄をより簡単に行なえる。
【００３６】
肌押しアーム３７に臨む外刃１２の周面にスリット状の長毛導入穴１２ｂを形成すると、肌押しアーム３７の櫛歯４７で案内された長毛が、長毛導入穴１２ｂに導入される機会を向上して、メイン刃７による長毛の切断機会を増加できる。また、長毛導入穴１２ｂに臨む肌面は、肌押圧部３９で受け止められているので、長毛導入穴１２ｂのスリット長さや、スリット幅が大きく設定してある場合であっても、肌面の一部が長毛導入穴１２ｂに垂れ込むのを確実に防止できる。
【００３７】
第２発明においては、ヘッド部１が本体部２に対して移動するとき、ヘッド部１の移動動作に連動してメイン刃７および長毛切断刃８のいずれかひとつを肌伸張構造で変位操作できるので、ひげ切断時には、とくに意識をする必要もなく肌面をメイン刃７および長毛切断刃８のいずれかで伸張させて、肌面に倒れこんだ短毛、長毛、あるいはくせ毛を確実に起毛できる。ヘッド部１を肌面に押し付けて移動変位させると、移動動作を原動力にして肌伸張構造でメイン刃７および長毛切断刃８のいずれかを肌伸し位置へ変位操作して、肌面に倒れこんだ短毛、長毛、あるいはくせ毛を起毛できるからである。したがって、従来の電気かみそりと同じ使い方をするだけで、メイン刃７および長毛切断刃８のいずれかに臨む肌面を伸張して肌面に倒れこんだ短毛、長毛、あるいはくせ毛を起毛でき、メイン刃７および長毛切断刃８のいずれかによるひげ切断をより効果的に行なえる。
【００３８】
ヘッド部１の移動動作を回転動作に変換するラック８０およびピニオン８１と、ピニオン８１と同行回転する操作カム８２などで肌伸張構造を構成すると、回転する操作カム８２でメイン刃７および長毛切断刃８のいずれかを肌伸し位置へ変位操作し、肌面を支障なく伸張させてひげ導入を促進できる。また、前後一対のメイン刃７、あるい両はメイン刃７と長毛切断刃８を肌伸張構造で同時に肌伸し位置へ変位操作する場合には、両メイン刃７、あるいはメイン刃７と長毛切断刃８を操作カム８２で円滑に、しかも均等に変位操作できる。第３発明および第４発明において、ラック８０およびピニオン８１と操作カム８２などで構成した肌伸張構造においても、同様の作用効果を発揮できる。
【００３９】
本体部２に設けた固定カム８５と、メイン刃７および長毛切断刃８のいずれかに設けられる受動カム８６などで構成した肌伸張構造によれば、肌伸張構造をより少ない部品点数で構成して、肌伸張機能を備えた電気かみそりを低コストで提供できる。肌伸張構造を簡素化できる分だけ耐久性を向上できる。第３発明および第４発明において、固定カム８５および受動カム８６などで構成した肌伸張構造においても、同様の作用効果を発揮できる。
【００４０】
ヘッド部１の前後傾動動作に連動して、メイン刃７および長毛切断刃８のいずれかを肌伸張構造で変位させて肌面を伸張する電気かみそりによれば、ヘッド部１が肌面の変化に応じて前後傾動するごとにメイン刃７および長毛切断刃８に臨む肌面を伸張させることができる。あるいは、意図的にヘッド部１を前後傾動させて、メイン刃７および長毛切断刃８に臨む肌面を伸張させることができる。したがって、メイン刃７および長毛切断刃８に臨む肌面に倒れこんだ短毛、長毛、あるいはくせ毛をよく起毛して、メイン刃７で効果的に切断できる。
【００４１】
ヘッド部１の左右傾動動作に連動して、メイン刃７および長毛切断刃８のいずれかを肌伸張構造で変位させて肌面を伸張する電気かみそりによれば、ヘッド部１が肌面の変化に応じて左右傾動するごとにメイン刃７および長毛切断刃８に臨む肌面を伸張させることができる。あるいは、意図的にヘッド部１を左右傾動させて、メイン刃７および長毛切断刃８に臨む肌面を伸張させることができる。したがって、メイン刃７および長毛切断刃８に臨む肌面に倒れこんだ短毛、長毛、あるいはくせ毛をより確実に起毛して、メイン刃７で効果的に切断できる。
【００４２】
第３発明においては、ヘッド部１に設けた肌接触体９０が肌面で押し下げられるのに連動して、メイン刃７および長毛切断刃８のいずれかを肌伸張構造で変位させて肌面を伸張させるので、肌面からの押圧反力を肌接触体９０で受け止めた状態で、メイン刃７および長毛切断刃８のいずれかを肌伸し位置へ変位操作できる。したがって、メイン刃７の外刃６６に押圧反力が集中するのを防止でき、さらに内刃１１を駆動するモーター１０に過大な駆動負荷が作用するのを解消して、ひげ切断をより短時間で効果的に行なうことができる。
【００４３】
第４発明においては、長毛切断刃９が肌面で押し下げ操作されるのに連動して、メイン刃７を肌伸張構造で変位させて肌面を伸張するので、肌面の一部を長毛切断刃９で受け止めて伸張した後に、肌面をメイン刃７で再度伸張することができる。したがって、メイン刃７に臨む肌面に倒れこんだ短毛、長毛、あるいはくせ毛をより確実に起毛して、長毛切断刃９およびメイン刃７で効果的に切断できる。
【図面の簡単な説明】
【００４４】
【図１】本発明に係る肌伸張構造を示すヘッド部の縦断側面図である。
【図２】電気かみそりの正面図である。
【図３】ヘッド部の側面図である。
【図４】肌伸張構造が基準位置にある状態の縦断側面図である。
【図５】肌伸張構造の分解背面図である。
【図６】外刃ホルダーと肌伸張構造の分解側面図である。
【図７】ヘッド部および肌伸張構造の平面図である。
【図８】第２発明に係る肌伸張構造を示す縦断側面図である。
【図９】図８で示した肌伸張構造の縦断正面図である。
【図１０】第２発明に係る別の肌伸張構造を示す縦断側面図である。
【図１１】第２発明に係るさらに別の肌伸張構造を示す縦断側面図である。
【図１２】第２発明に係るさらに別の肌伸張構造を示す縦断側面図である。
【図１３】第３発明に係る肌伸張構造を示す縦断側面図である。
【図１４】図１３で示した肌伸張構造の縦断正面図である。
【図１５】第３発明に係る別の肌伸張構造を示す縦断側面図である。
【図１６】第４発明に係る肌伸張構造を示す縦断側面図である。
【図１７】第４発明に係る別の肌伸張構造を示す縦断側面図である。
【図１８】第２発明に係る肌伸張構造の別の実施例を示す縦断側面図である。
【図１９】第２発明に係る肌伸張構造のさらに別の実施例を示す縦断正面図である。
【図２０】図１９で示した肌伸張構造の横断平面図である。
【図２１】肌伸張構造のさらに別の実施例を示す縦断側面図である。
【図２２】肌伸張構造のさらに別の実施例を示す縦断側面図である。
【発明を実施するための形態】
【実施例】
【００４５】
図１ないし図７は第１発明に係る電気かみそりの実施例を示す。なお、以下の説明における前後・左右・上下とは、図２および図３に示す交差矢印と、各矢印の近傍に表示した前後・左右・上下の表記に従うこととする。図２において電気かみそりは、ヘッド部１と、ヘッド部１を支持する本体部２と、本体部２に装着される外枠３などで構成する。外枠３は装飾枠を兼ねており、本体部２と協同して電気かみそりのグリップ部を構成する。ヘッド部１の全体は、本体部２で上下移動可能に支持されて、図示していない移動ばねで押し上げ付勢してある。
【００４６】
図４においてヘッド部１は、ヘッドベース５と、ヘッドベース５の上面に固定される上カバー６と、ヘッド部１の上端に設けられるメイン刃７と、メイン刃７の後側に配置される肌伸張構造と、肌伸張構造に組み込まれるトリマーユニット（長毛切断刃）８などで構成する。ヘッドベース５の下面にはモーター１０が固定してあり、その回転動力はギヤ伝動構造を介してメイン刃７の内刃１１に伝動される。ヘッド部１が本体部２に対して上下移動するとき、モーター１０はヘッド部１に同行して上下動する。
【００４７】
メイン刃７は、横軸まわりに回転するロータリー式の内刃１１と、網刃からなる外刃１２とで構成して、主に短毛を切断（せん断）する。以下の実施例におけるメイン刃７も同様に、主として短毛を切断するものである。外刃１２は、外刃ホルダー１３でアーチ形に保持してあり、外刃ホルダー１３はヘッドベース５に対して着脱自在に装着してある。内刃１１は、一群のスパイラル状の小刃をプラスチック製の軸体にインサート固定して構成してあり、逆門形の内刃ホルダー１４で回転自在に軸支してある。図１および図４において、内刃１１は反時計回転方向へ回転駆動される。内刃ホルダー１４は、上カバー６に対して着脱できる。外刃１２は、その湾曲領域の全体に一群のひげ導入穴１２ａが形成してある網刃からなり、湾曲壁に連続する平坦な後壁に前後方向に長いスリット状の長毛導入穴１２ｂが形成してある。なお、ひげ導入穴１２ａと内刃１１とで構成される切断領域の中央部分は、内刃１１の中心を通る垂直平面より前側に偏寄させてある。より詳しくは、切断領域の中央部分は、時計の文字盤における１０時から１１時の間に位置させてある。
【００４８】
本体部２の内部には、２次電池１６および回路基板１７などの電装品が組み付けてある（図２参照）。ヘッド部１を水洗い洗浄可能とするために、モーター１０や先の電装品を収容する本体部２とヘッドベース５との間はパッキンで封止してある。外枠３の右側の側枠部分の上部に、モーター１０への通電状態を切り換えるスイッチボタン１８と、発光表示部などが組み込んである。スイッチボタン１８を押し込み操作する毎に、回路基板に実装したスイッチをオンからオフへ、あるいはオフからオンへ循環的に切り換えることができる。
【００４９】
ギヤ伝動構造は、モーター１０の回転動力を中間軸２０に伝動する前段ギヤ群と、中間軸２０の回転動力を内刃１２に伝動する後段ギヤ群とで構成する。図２に示すように、前段ギヤ群は、モーター１０の出力軸に固定される原動ギヤ２１と、原動ギヤ２１に噛み合う従動ギヤ２２と、従動ギヤ２２の上面に設けられる駆動側のベベルギヤ２３と、中間軸２０に固定される従動側のベベルギヤ２４とで構成する。後段ギヤ群は、中間軸２０と内刃軸２５との間に設けたギヤトレイン２６からなり、ギヤトレイン２６の第１ギヤのみが中間軸２０の軸端に固定され、他の３個のギヤは内刃ホルダー１５の側壁内に収容してある。
【００５０】
中間軸２０を利用して振動子２８が左右スライド自在に支持してあり、先の原動ギヤ２１の上面に設けた偏心カム２９で振動子２８を駆動して、モーター１０の回転動力を往復動力に変換している。振動子２８の往復動力は、駆動枠３０を介して、トリマーユニット８の可動刃５６に伝動される（図３および図４参照）。
【００５１】
肌伸張構造は、外刃ホルダー１３の後面側に配置される肌押し体３５と、肌押し体３５を変位付勢する肌押しばね３６を要素部材にして構成してあり、肌押し体３５を利用してトリマーユニット８が組み込んである。
【００５２】
図４ないし図６に示すように、肌押し体３５は、トリマーユニット８の側から外刃１２へ向かって連出される肌押しアーム３７と、肌押しアーム３７の後部に連続して下向きに伸びるアーム基部３８とで断面逆Ｌ字状に形成してあり、肌押しアーム３７の上面側が肌押圧部３９となっている。肌押し体３５は、図４に示す待機位置と、図１に示す作動位置との間で揺動変位できる。そのために、外刃ホルダー１３の後面左右に一対のブラケット４０を設け、両ブラケット４０の上部対向面に固定した一対の支軸４１で、肌押しアーム３７の側面の前後中途部を軸支している。
【００５３】
また、アーム基部３８の両側面の上部に設けたばね受け座４２と、左右のブラケット４０の下部に設けたばね受け座４３との間に、先の肌押しばね３６を配置している（図３参照）。肌押しばね３６は圧縮コイルばねからなり、肌押し体３５の全体を支軸４１のまわりに反時計回転方向へ揺動付勢する。各ばね受け座４２・４３には、肌押しばね３６に嵌り込むずれ止めピン４２ａ・４３ａが突設してある。なお、支軸４１の中心軸は、メイン刃７の内刃１１の回転中心軸と平行に配置してある。
【００５４】
図７に示すように肌押しアーム３７の左右幅は、外刃１２に設けたひげ導入穴１２ａの形成領域より僅かに広幅に設定してあり、ばね受け座４２を含むアーム基部３８の左右幅は、肌押しアーム３７の左右幅より大きく設定してある。肌押しアーム３７とアーム基部３８との間に上下貫通状の空所Ｓを形成し、空所Ｓに臨む平坦な刃セット部４５にトリマーユニット８を固定して、その切刃部分をアーム基部３８側の上面に露出させている（図４参照）。
【００５５】
肌押しアーム３７の前部の断面は矢尻状に尖らせてあり、肌押圧部３９の上面の前端から先の切刃部分の露出部分にわたって、長毛を外刃１２へ向かって梳き流す一群の櫛歯４７が形成してある。また、各櫛歯４７の前部上面に、鋸刃状の肌押し片４８が上向きに突設してある。図７に示すように、櫛歯４７および肌押し片４８は、肌押しアーム３７の左右方向の全幅にわたって一定間隔おきに形成してある。トリマーユニット８の切刃部分に臨むアーム基部３８側の上面にも、櫛歯４９が一定間隔おきに形成してある。ただし、アーム基部３８側の櫛歯４９の隣接ピッチおよび歯幅は、肌押しアーム３７側の櫛歯４７の隣接ピッチおよび歯幅の概ね半分程度に小さく設定してあり、櫛歯４９の形成領域の幅は固定刃５５の左右幅に概ね一致させてある。
【００５６】
図４に示すように、待機位置における肌押しアーム３７は、その下面に設けた段部５０が外刃ホルダー１３のストッパー壁５１に接当している。このようにストッパー壁５１で肌押しばね３６の付勢力は受け止めると、肌押しアーム３７の前端下面の傾斜面５２が、外刃１２の平坦な後壁に強く押し付けられるのを防止できる。この状態の櫛歯４７の間の歯溝５３は、外刃１２の長毛導入穴１２ｂに臨んでいる。図３および図４に示すように肌押し体３５が待機位置にあるときの肌押し片４８は、肌押し体３５の最上端に位置しており、肌押し片４８に連続する櫛歯４７の上縁は概ね水平になっている。
【００５７】
トリマーユニット８は、刃セット部４５に固定される固定刃５５と、固定刃５５に対して左右にスライド駆動される可動刃５６と、可動刃５６と一体に設けられる受動体５７、および図示していない可動刃用の押えばねなどで構成する。可動刃５６を駆動するために、振動子２８に設けた駆動枠３０の後端をヘッド部１の後面外方に突出させ、その突出端に装着した駆動片６０の上端に駆動ピン６１を固定している。この駆動ピン６１に受動体５７の下端に設けた連結溝６２を係合することにより、振動子２８の往復動力を可動刃５６に伝動できる。
【００５８】
トリマーユニット８は、肌押し体３５が待機位置と作動位置との間で揺動するのに同行して上下に移動変位できる。このようにトリマーユニット８が移動変位する状態においても、常に往復動力を可動刃５６へ伝動できるようにするために、駆動ピン６１を駆動片６０の前面前方へ大きく突設して、連結溝６２と駆動ピン６１の係合状態を維持できるようにしている。駆動枠３０から受動体５７に至る駆動構造の外面は、本体部２の後面に装着したカバー６３で覆われている。
【００５９】
以上のように構成した電気かみそりは、図１に示すようにメイン刃７を肌面に押し付けてひげ切断を行なう。詳しくは、長毛やくせ毛をトリマーユニット８で切断し、切断された短毛をメイン刃７で仕上げ切断してコンビ剃りを行なうことができる。メイン刃７を肌面に押し付けた状態では、トリマーユニット８の切刃部分、およびアーム基部３８の上面も同時に肌面の押圧反力で押される。そのため、肌押し体３５は、肌押しばね３６の付勢力に抗して支軸４１のまわりに時計回転方向へ揺動し、実線で示す作動位置へ変位する。また、肌押し体３５が揺動するのと同時に、肌押し片４８が肌面に食い込んで、外刃１２に臨む肌面を肌押し片４８で伸張させ、伸張された肌面に倒れこんだ短毛、長毛、あるいはくせ毛などを起毛できる。メイン刃７を肌面に押し付ける過程では、トリマーユニット８が肌押し体と共に揺動するので、その固定刃５５や可動刃５６による肌面への刺激を軽減して、肌当りを柔らかなものとすることができる。
【００６０】
このとき、肌押圧３９の先端寄りに肌押し片４８を設けているので、肌押し体３５が作動位置へ揺動するときの肌押し片４８の変位距離を大きくできる。さらに、肌押し片４８が肌押圧３９の上面から突出している寸法分だけ、肌面を大きく押し込むことができる。したがって、メイン刃７に臨む肌面を肌押し体３５で大きく伸張させて、肌面に倒れこんでいるくせ毛や長毛を確実に起毛することができる。
【００６１】
上記の肌伸張状態で、図１に示すようにヘッド部１を矢印Ｍの方向へスライドさせると、起毛されたくせ毛や長毛を櫛歯４７で梳きながら外刃１２の長毛導入穴１２ｂへと案内して切断できる。同時に、ひげ導入穴１２ａに短毛を誘い込んで切断できる。なお、肌押し体３５が作動位置へ揺動する動作は、アーム基部３８の上面が肌面の押圧反力で押されて、支軸４１の周りに沈み込むことで実現されるが、この動作は次のように考えることができる。アーム基部３８の上面にはトリマーユニット８の切刃部分が露出している。したがって、肌押し体３５の揺動動作は、肌面からの押圧反力を受けてトリマーユニット８が下向きに移動変位するのに連動して行なわれるということができる。
【００６２】
以下、図８から図２１に基づいて、第２発明ないし第６発明に係る電気かみそりの実施例を示す。なお、以下の各実施例においては、先に説明した実施例と異なる部分を主に説明して、同じ部材には同じ符号を付してその説明を省略する。
【００６３】
図８および図９に第２発明に係る電気かみそりを示しており、そこではヘッド部１に前後一対のメイン刃７・７と、センター刃（長毛切断刃）９を設け、ヘッド部１の全体を本体部２で上下移動可能に支持した。メイン刃７は、スリット刃からなる内刃６５と網刃からなる外刃６６とでレシプロ式の切断刃として構成してあり、各内刃６５は図示していない振動子の駆動軸で互いに逆向きに往復駆動される。
【００６４】
メイン刃７は、樋体状の刃支持体６７に上下動自在に組み付けられて、ばね６４で押し上げ付勢してあり、前後の刃支持体６７は、それぞれヘッドケース６８で前後スライド自在に支持してある。詳しくは、刃支持体６７の下面の前後に設けたスライドピン６９を、ヘッドケース６８の両側壁に形成したガイド溝７０でスライド自在に案内支持して、メイン刃７・７を基準位置（図８に想像線で示す位置）と肌伸し位置（図８に実線で示す位置）とにスライド変位できるよう支持している。また、ヘッドケース６８の前後壁と各刃支持体６７との間に配置した復帰ばね７１で、各メイン刃７・７を基準位置へ向かって互いに接近する向きに移動付勢している。センター刃９は両メイン刃７・７の間に配置してあり、それぞれスリット刃からなる内刃７３と外刃７４で構成してある。センター刃９は、上下動可能に支持されてリフトばね７２で押し上げ付勢してあり、その内刃７３が、図示していない振動子の駆動軸で往復駆動される。ヘッドケース６８は、その下部に固定した移動体７６のスライドピン７７を、本体部２に設けたガイド溝７８でスライド案内して上下移動可能に支持されて、移動ばね７９で押し上げ付勢してある。
【００６５】
上記のメイン刃７・７を、ヘッド部１の移動動作に連動して基準位置から肌伸し位置へと変位操作するために、肌伸張構造をヘッド部１に設けている。肌伸張構造は、本体部２に固定される左右一対のラック８０と、ヘッドケース６８に軸支されて先のラック８０と噛み合うピニオン８１と、各ピニオン８１と同行回転する一対の操作カム８２とで構成する。操作カム８２は長円状に形成してあり、その回転中心が両刃支持体６７の中間に位置させてあって、復帰ばね７１で移動付勢された各刃支持体６７の対向壁をカム周面で受け止めている。
【００６６】
使用状態において、メイン刃７・７を肌面に押し付けると、肌面からの押し付け反力を受けてヘッド部１の全体が、移動ばね７９の付勢力に逆らって沈み込む。この沈み込み動作と同時に、ピニオン８１がラック８０に沿って回転駆動され、同時に操作カム８２が想像線で示す状態から実線で示す状態へと回転して、各メイン刃７・７の刃支持体６７を、それぞれ復帰ばね７１の付勢力に抗して互いに離れる向きへ変位操作する。そのため、各メイン刃７・７の間に位置している肌面は、互いに離れる向きに移動する外刃６６・６６で伸張されて、肌面に倒れこんだ短毛、長毛、あるいはくせ毛などを起毛する。したがって、使用者はとくに意識してヘッド部１を移動操作する必要もなく肌面を伸張させることができる。この状態でヘッド部１を前後いずれかへスライドさせることにより、起毛されたくせ毛をスライド方向下手側のメイン刃７に導入して切断できる。なお、メイン刃７を肌面から離すと、ヘッド部１は移動ばね７９の付勢力によって本体部２から進出する向きに移動するので、ピニオン８１および操作カム８２は上昇移動しながら回転し、各メイン刃７・７は待機位置へと復帰移動する。
【００６７】
図１０の電気かみそりは、図８の電気かみそりと同様にヘッド部１に前後一対のメイン刃７・７とセンター刃９を設け、ヘッド部１の全体を本体部２で上下移動可能に支持した。前後の刃支持体６７をヘッドケース６８で前後スライド自在に支持し、復帰ばね７１で基準位置へ向かって復帰付勢する点も同じである。この実施例における肌伸張構造は、本体部２に固定される左右一対の固定カム８５と、各刃支持体６７に固定される受動カム８６とで構成し、ヘッド部１が移動ばね７９の付勢力に抗して沈み込むとき、両受動カム８６が固定カム８５で同時に離れる向きへ変位操作されるようにした。固定カム８５と両受動カム８６とは、傾斜面からなるカム面を介して接当している。
【００６８】
図１１の電気かみそりは、図８の電気かみそりと同様にヘッド部１に前後一対のメイン刃７・７とセンター刃９を設け、ヘッド部１の全体を本体部２で上下移動可能に支持した。前後の刃支持体６７は、その下部に固定した揺動軸８８をヘッドケース６８で前後傾動自在に支持して、復帰ばね７１で基準位置へ向かって復帰付勢するようにした。この実施例における肌伸張構造は、図１０の肌伸張構造と同様に、固定カム８５と受動カム８６とで構成するが、固定カム８５の上端の操作カム面を半円状に丸める点が、図１０の肌伸張構造と異なる。
【００６９】
図１２の電気かみそりは、図１１の電気かみそりと同様に構成するが、その前後一対のメイン刃７を、図１で説明したメイン刃７と同様に、横軸まわりに回転するロータリー式の内刃１１と、網刃からなる外刃１２とで構成する点が図１１の電気かみそりと異なる。
【００７０】
図１３および図１４の第３発明に係る電気かみそりは、前後一対のメイン刃７を図１１の電気かみそりと同様に構成し、ヘッドケース６８で支持した肌接触体９０の上下動作を利用して、肌伸張構造を基準位置から肌伸し位置へ操作できるようにした。肌接触体９０は、上面にメイン刃７およびセンター刃９を露出させるための開口９１を備えたキャップ体からなり、その周側壁がヘッドケース６８で上下動自在に案内されて、リフトばね９５で押し上げ付勢してある（図１４参照）。肌伸張構造は、肌接触体９０の上壁内面に固定されて下向きに延びる左右一対のラック９２と、ヘッドケース６８に軸支されて先のラック９２と噛み合うピニオン９３と、各ピニオン９３と同行回転する一対の操作カム９４とで構成する。操作カム９４は長円状に形成してあり、その回転中心を両刃支持体６７の中間に配置して、復帰ばね７１で移動付勢された各刃支持体６７の対向壁をカム周面で受け止めている。
【００７１】
常態における肌接触体９０の上面は、図１４に想像線で示すように、外刃６６の頂部の近傍位置に位置しているが、ひげ切断時には肌面からの押し付け反力によって図１４に実線で示すように押し下げられ、ラック９２が同行して下降移動する。ラック９２の下降動作によりピニオン９３が回転操作され、同時に操作カム９４が想像線で示す状態から実線で示す状態へと回転して、各メイン刃７・７の刃支持体６７を、互いに離れる向きへ傾動操作する。これにより、肌面に倒れこんだ短毛、長毛、あるいはくせ毛などを起毛できる。
【００７２】
図１５の電気かみそりは、前後一対のメイン刃７を図１３の電気かみそりと同様に構成し、ヘッドケース６８で支持した肌接触体９０の上下動作を利用して、肌伸張構造を基準位置から肌伸し位置へ操作できるようにした。肌伸張構造は、肌接触体９０の上壁内面に固定されて下向きに延びる左右一対の移動カム９７と、各刃支持体６７に固定される受動カム９８とで構成し、肌接触体９０がリフトばね（図示していない）の付勢力に抗して沈み込むとき、両受動カム９８を移動カム９７で同時に離れる向きへ変位操作して、刃支持体６７を拡開揺動させるようにした。
【００７３】
図１６の第４発明に係る電気かみそりは、前後一対のメイン刃７を図１２の電気かみそりと同様にロータリー式の内刃１１と、網刃からなる外刃１２とで構成し、その間に配置したセンター刃９の上下動作を利用して、肌伸張構造を基準位置から肌伸し位置へ操作できるようにした。肌伸張構造は、センター刃９の下部に固定される左右一対のラック１０１と、ヘッドケース６８に軸支されて先のラック１０１と噛み合うピニオン１０２と、各ピニオン１０２と同行回転する一対の操作カム１０３とで構成する。操作カム１０３は長円状に形成してあり、その回転中心が両刃支持体６７の中間に位置させてあって、復帰ばね７１で移動付勢された各刃支持体６７の対向壁を受け止めている。
【００７４】
常態におけるセンター刃９は、図１６に想像線で示すように、メイン刃７より上方に位置しているが、ひげ切断時には肌面からの押し付け反力によって、図１６に実線で示すように押し下げられ、ラック１０１が同行して下降移動する。ラック１０１の下降動作によりピニオン１０２が回転操作され、同時に操作カム１０３が想像線で示す状態から実線で示す状態へと回転して、各メイン刃７・７の刃支持体６７を、互いに離れる向きへ傾動操作する。これにより、肌面に倒れこんだ短毛、長毛、あるいはくせ毛などを起毛できる。
【００７５】
図１７の電気かみそりは、前後一対のメイン刃７を図１６の電気かみそりと同様に構成し、センター刃９の上下動作を利用して、肌伸張構造を基準位置から肌伸し位置へ操作できるようにした。肌伸張構造は、センター刃９の下面に固定されて下向きに延びる左右一対の固定カム１０５と、各刃支持体６７に固定される受動カム１０６とで構成し、センター刃９がリフトばね７２の付勢力に抗して沈み込むとき、両受動カム９８を固定カム９７で同時に離れる向きへ変位操作して、刃支持体６７を拡開揺動させるようにした。上記の各実施例では、前後一対のメイン刃７を肌伸張構造で同時に拡開操作したが、一対のメイン刃７の片方のみを肌伸張構造で操作して、肌面を伸張させることができる。第４発明におけるセンター刃９に換えて、断面がかまぼこ型の棒状体を上下動自在に支持し、さらにばねで押し上げ付勢しておき、棒状体が肌面からの押圧反力を受けて押し下げられる動作を利用して、メイン刃７を拡開操作することができる。その場合の棒状体は、先に説明した肌接触体９０と同じ機能を発揮できる。
【００７６】
図１８は第２発明に係る電気かみそりの別の実施例を示しており、そこでは前後一対のメイン刃７を図１５の電気かみそりと同様に構成し、ヘッド部１を本体部２に設けた左右一対のブラケット１０８で、支軸１０９を介して前後傾動可能に支持した。肌伸張構造は、各ブラケット１０８に固定した操作体１１０からなり、ヘッド部１が前後傾動するとき、操作体１１０の前後に設けた突起１１１で一方の刃支持体６７を受け止めて、刃支持体６７を復帰ばね７１の付勢力に抗して揺動操作できる。この実施例においては、前後いずれか一方のメイン刃７を操作体１１０で揺動させて、肌面を伸張することができる。
【００７７】
図１９および図２０は第２発明に係る電気かみそりのさらに別の実施例を示しており、そこでは前後一対のメイン刃７を図８の電気かみそりと同様に構成し、ヘッド部１を本体部２に設けた支軸１１３で左右傾動可能に支持した。また、刃支持体６７の下面の前後に設けたスライドピン６９を、ヘッドケース６８の両側壁に形成したガイド溝７０でスライド自在に案内支持して、メイン刃７・７を基準位置と肌伸し位置とに変位できるよう支持している。肌伸張構造は、本体部２に設けたブラケット１１４の前後面に形成される半球状の固定カム１１５と、固定カム１１５を間に挟んで刃支持体６７の対向面に固定される受動カム１１６とで構成する。受動カム１１６は、へ字状の凹面として形成してあり、ヘッド部１が左右いずれかへ傾動するとき、固定カム１１５で互いに離れる向きへ押し出される。これにより、メイン刃７のそれぞれを互いに離れる向きへ移動操作して肌面を伸張することができる。
【００７８】
図２１に示す電気かみそりは、前後一対のメイン刃７を図８の電気かみそりと同様に構成し、刃支持体６７の下面に固定した傾動軸１１９を、ヘッドケース６８に形成したガイド溝１２０で案内して、各刃支持体６７を前後に傾動できるようにした。ガイド溝１２０は斜め下向きに傾斜する第１溝１２１と、第１溝１２１の上端に連続して上向きに延びる垂直の第２溝１２２とでくの字状に形成してあり、長円状に形成した傾動軸１１９は、常態において第２溝１２２で受け止められている。各刃支持体６７は、ヘッドケース６８の内底と刃支持体６７の底壁との間に配置したリフトばね１２３で押し上げ付勢してある。肌伸張構造は、ヘッドケース６８の内底に突設した固定カム１２４と、各刃支持体６７に設けた受動カム１２５とで構成し、各刃支持体６７が肌面の押し付け反力を受けて沈み込むとき、各刃支持体６７を互いに離れる向きへ傾動させて、肌面を伸張することができる。
【００７９】
図２２に示す電気かみそりは、ヘッド部１に１個のメイン刃７と長毛切断刃９を設け、図８の電気かみそりと同様に、ヘッド部１の全体を本体部２で上下移動可能に支持した。メイン刃７は、スリット刃からなる内刃６５と網刃からなる外刃６６とでレシプロ式の切断刃として構成してある。長毛切断刃９は、スリット刃からなる内刃７３と外刃７４で構成してあり、全体が刃支持体１２６で上下動可能に支持されてリフトばね７２で押し上げ付勢してあり、その内刃７３が、図示していない振動子の駆動軸で往復駆動される。メイン刃７の刃支持体６７と長毛切断刃９の刃支持体１２６は、それぞれ刃支持体６７・１２６の下部に固定した揺動軸８８をヘッドケース６８で前後傾動自在に支持して、捻じりコイルばねからなる復帰ばね７１で基準位置へ向かって復帰付勢するようにした。この実施例における肌伸張構造は、図１１の肌伸張構造と同様に、固定カム８５と受動カム８６とで構成してある。この実施例においては、長毛切断刃９とメイン刃７とが協同して肌面を伸張させる。長毛切断刃９は、図１で説明した長毛切断刃８に置き換えることができる。
【００８０】
上記の実施例以外に、肌押しばね３６、復帰ばね７１、リフトばね７２・９５は、板ばね、引っ張りばね、ねじリコイルばね、ゴムやスポンジからなるばね、あるいは気体の圧縮性を利用したばねなどに代えることができる。図１から図７で説明した肌伸張構造は、ヘッド部１にメイン刃７が２個以上設けてある場合にも適用できる。トリマーユニット８は、その切刃部分がアーム基部３８の後面で露出するように組むことができる。また、トリマーユニット８は、必ずしも肌押し体３５に配置する必要はなく、肌伸張構造とは異なる位置に配置してあってもよい。
【００８１】
第２発明ないし第４発明においては、ヘッド部１に、複数のメイン刃７か、少なくともひとつのメイン刃７と少なくともひとつの長毛切断刃８とのいずれかを配置するが、その具体的な配置形態、および組み合わせ形態は以下の通りである。１個のメイン刃７と１個の長毛切断刃８、１個のメイン刃７と２個の長毛切断刃８、２個のメイン刃７、２個のメイン刃７と１個の長毛切断刃８、３個のメイン刃、３個以上のメイン刃と１個以上の長毛切断刃８等である。
【符号の説明】
【００８２】
１  ヘッド部
２  本体部
７  メイン刃
８  長毛切断刃（トリマーユニット）
９  長毛切断刃（センター刃）
１１  内刃
１２  外刃
１３  外刃ホルダー
３５  肌押し体
３６  肌押しばね
３７  肌押しアーム
３８  アーム基部
３９  肌押圧部
４１  支軸
４７  櫛歯
４８  肌押し体
【図１】
2011147731.tif 000003
【図２】
2011147731.tif 000004
【図３】
2011147731.tif 000005
【図４】
2011147731.tif 000006
【図５】
2011147731.tif 000007
【図６】
2011147731.tif 000008
【図７】
2011147731.tif 000009
【図８】
2011147731.tif 000010
【図９】
2011147731.tif 000011
【図１０】
2011147731.tif 000012
【図１１】
2011147731.tif 000013
【図１２】
2011147731.tif 000014
【図１３】
2011147731.tif 000015
【図１４】
2011147731.tif 000016
【図１５】
2011147731.tif 000017
【図１６】
2011147731.tif 000018
【図１７】
2011147731.tif 000019
【図１８】
2011147731.tif 000020
【図１９】
2011147731.tif 000021
【図２０】
2011147731.tif 000022
【図２１】
2011147731.tif 000023
【図２２】
2011147731.tif 000024